(57)【要約】  【課題】  身体障害者であっても簡単に引き戸２のロックが解除できるようにするための簡単な構成のラッチ装置４を提供する。  【解決手段】  キャビネット１の間口に沿って左右方向に進退移動可能な引き戸２における前面板３に把手ハウジング５の前面開放状の収納部６を引き戸の裏面側に臨ませて固定し、引き戸２の裏面側に戸当りの係合部１３に対して係脱するラッチ体９を配置し、ラッチ体９とこれを作動させるための操作杆７とを把手ハウジング５の外側一側部の取り付けブラケット１０の枢支軸２１にて回動自在に枢支し、操作杆７の基部を把手ハウジング５の一側部に穿設された通孔から収納部６内に臨ませ、操作杆７の前端に設けた手掛け部３１を把手ハウジング５における外周縁部１２の中高状の前面１２ａよりも前方の外に大きく突出するように形成する。  【選択図】  図２
2005155016.tif 000002
【特許請求の範囲】
【請求項１】
キャビネット等の家具の間口に沿って左右方向に進退移動可能な引き戸における前面板に把手ハウジングの前面開放状の収納部を引き戸の裏面側に臨ませて固定し、
前記引き戸の裏面側には、家具の戸当りの係合部に対して係脱するラッチ体を配置し、
前記ラッチ体を作動させるための操作杆の基部を把手ハウジングの外側一側部にて回動自在に枢支し、
前記操作杆を前記把手ハウジングの一側部に穿設された通孔から把手ハウジングの前記収納部内に臨ませ、
前記操作杆の前端に設けた手掛け部を前記収納部から前記把手ハウジングにおける外周縁部よりも前方の外に突出するように形成したことを特徴とする引き戸におけるラッチ装置。
【請求項２】
前記手掛け部の前面を、前記引き戸の進退移動方向の中途部が中高状になるように形成されていることを特徴とする請求項１に記載の引き戸におけるラッチ装置。
【請求項３】
前記引き戸における前面板に取付け孔を穿設し、該取付け孔を介して把手ハウジングの前面開放状の収納部を引き戸の裏面側に臨ませ固定する一方、この把手ハウジングの外周縁部を前記前面板に当接させ、前記把手ハウジングにおける外周縁部のうち、引き戸の進退移動方向に延びる部位の前面をなだらかな中高状に形成されていることを特徴とする請求項１または２に記載の引き戸におけるラッチ装置。
【請求項４】
前記把手ハウジングを前記取付け孔から離脱不能にするための取付けブラケットを、前記把手ハウジングの外側一側部に対して着脱可能に装着したことを特徴とする請求項１ま乃至３のいずれかに記載の引き戸におけるラッチ装置。
【請求項５】
前記ラッチ体と前記操作杆とを前記取付けブラケットに同一軸線にて枢支し、
前記ラッチ体に一体的に設けられ、前記係合部にロックする方向に付勢するための弾性板状の付勢ばねの先端部を前記取付けブラケットに支持させたことを特徴とする請求項４に記載の引き戸におけるラッチ装置。
【請求項６】
前記操作杆には、前記ラッチ体をロック解除方向に押圧するための作動部を備えたことを特徴とする請求項１乃至５のいずれかに記載の引き戸におけるラッチ装置。
【請求項７】
前記ラッチ体におけるラッチ部は引き戸における戸当り部の厚さ内に突出させたことを特徴とする請求項１乃至６のいずれかに記載の引き戸におけるラッチ装置。
【発明の詳細な説明】
【技術分野】
【０００１】
本発明は、キャビネット等の家具の前面の間口を開閉する引き戸におけるラッチ装置の構成に関するものである。
【背景技術】
【０００２】
従来の引き戸におけるラッチ装置は、特許文献１や特許文献２に開示されているように、引き戸の前面板に穿設した孔にカップ状のハウジング体（手掛け枠、把手体）を取付けする。このハウジング体内に操作体を配置し、その操作体の一端をハウジング体の一側の通孔から引き戸の前面板の裏面側に突出させる。引き戸における一側側端部にはラッチ体をキャビネット本体の係合部にロックする方向にばね付勢されるように配置し、ラッチ体のレバー部を前記操作体の移動により回動させて、ラッチ体が係合部から離脱して引き戸のロックを解除できるように構成されている。
【０００３】
そして、特許文献１では、ハウジングの４周縁部が前面板より若干突出し、操作体における手掛け部が前記４周縁部よりも若干前方に突出しているものである。ハウジングの内径部に前向きに突出させた固定手掛け片が前記手掛け部と適宜隙間をあけて平行状に配置されており、引き戸を開く人が指で手掛け部を固定手掛け片に近づくように引いて、前記ロックを解除するのであった。
【特許文献１】特開平８−１８９２４２号公報
【特許文献２】特開平１１−１７２９８４号公報
【発明の開示】
【発明が解決しようとする課題】
【０００４】
しかしながら、女子、子供、老人等の指の力の弱い人、もしくは身体障害者や両手に荷物を持っていて、前記手掛け部に対して手を使えない場合では、特許文献１に開示された操作体における手掛け部の前向き突出量が少ない時には、当該手掛け部をロック解除方向に移動させることが困難であった。
【０００５】
本発明は、このような従来の課題を解決すべくなされものであって、簡単な構成で、容易にロック解除できるようにした引き戸におけるラッチ装置を提供することを目的とするものである。
【課題を解決するための手段】
【０００６】
前記目的を達成するため、請求項１に記載の発明の引き戸におけるラッチ装置は、キャビネット等の家具の間口に沿って左右方向に進退移動可能な引き戸における前面板に把手ハウジングの前面開放状の収納部を引き戸の裏面側に臨ませて固定し、前記引き戸の裏面側には、家具の戸当りの係合部に対して係脱するラッチ体を配置し、前記ラッチ体を作動させるための操作杆の基部を把手ハウジングの外側一側部にて回動自在に枢支し、前記操作杆を前記把手ハウジングの一側部に穿設された通孔から把手ハウジングの前記収納部内に臨ませ、前記操作杆の前端に設けた手掛け部を前記収納部から前記把手ハウジングにおける外周縁部よりも前方の外に突出するように形成したものである。
【０００７】
また、請求項２に記載の発明は、請求項１に記載の引き戸におけるラッチ装置において、前記手掛け部の前面を、前記引き戸の進退移動方向の中途部が中高状になるように形成されているものである。
【０００８】
請求項３に記載の発明は、請求項１または２に記載の引き戸におけるラッチ装置において、前記引き戸における前面板に取付け孔を穿設し、該取付け孔を介して把手ハウジングの前面開放状の収納部を引き戸の裏面側に臨ませ固定する一方、この把手ハウジングの外周縁部を前記前面板に当接させ、前記把手ハウジングにおける外周縁部のうち、引き戸の進退移動方向に延びる部位の前面をなだらかな中高状に形成されているものである。
【０００９】
請求項４に記載の発明は、請求項１乃至３のいずれかに記載の引き戸におけるラッチ装置において、前記把手ハウジングを前記取付け孔から離脱不能にするための取付けブラケットを、前記把手ハウジングの外側一側部に対して着脱可能に装着したものである。
【００１０】
請求項５に記載の発明は、請求項４に記載の引き戸におけるラッチ装置において、前記ラッチ体と前記操作杆とを前記取付けブラケットに同一軸線にて枢支し、前記ラッチ体に一体的に設けられ、前記係合部にロックする方向に付勢するための弾性板状の付勢ばねの先端部を前記取付けブラケットに支持させたものである。
【００１１】
請求項６に記載の発明は、請求項１乃至５のいずれかに記載の引き戸におけるラッチ装置において、前記操作杆には、前記ラッチ体をロック解除方向に押圧するための作動部を備えたものである。
【００１２】
請求項７に記載の発明は、請求項１乃至６のいずれかに記載の引き戸におけるラッチ装置において、前記ラッチ体におけるラッチ部は引き戸における戸当り部の厚さ内に突出させたものである。
【発明の効果】
【００１３】
上記のように、請求項１に記載の発明によれば、前記把手ハウジングの外周縁部より大きく突出している手掛け部の前面を、作業者の前腕部の外面や肘、掌にて引き戸の開き方向に沿う方向に押し当てることが容易にできて、手掛け部に対する操作力が掛け易くなるという効果を奏する。
【００１４】
請求項２に記載の発明によれば、この手掛け部の前面が中高状に形成されていることと把手ハウジングの外周縁部より大きく突出していることとが相俟って、手掛け部に対するロック解除（ラッチ解除）の操作が非常にし易くなるという効果を奏する。
【００１５】
請求項３に記載の発明によれば、把手ハウジングにおける外周縁部のうち、引き戸の進退移動方向に延びる部位の前面をなだらかな中高状に形成されているから、作業者の前腕部や肘で押す場合に、作業者の服の袖が外周縁部と手掛け部との間の隙間に挟まれないようできる。
【００１６】
請求項４に記載の発明によれば、取り付け孔に嵌め込んだ把手ハウジングは引き戸の前面板の裏面側に配置する取り付けブラケットにより抜け不能とすることを確実にできるものである。
【００１７】
請求項５に記載の発明によれば、ラッチ体と、操作杆とは別体で同じ枢支部にて回動すし、しかもラッチ体に設けた付勢バネによりラッチ体のみをロック方向に付勢できるから、引き戸を閉止方向に移動させるときに手掛け部に力を作用させても、ラッチ体だけが係合部を乗り越えるさせることができる。
【００１８】
請求項６に記載の発明は、前記操作杆には、前記ラッチ体をロック解除方向に押圧するための作動部を備えたものであるから、操作杆の回動操作だけでラッチ体をロック解除方向に回動させることができる。
【００１９】
請求項７に記載の発明は、請求項１乃至６のいずれかに記載の引き戸におけるラッチ装置において、前記ラッチ体におけるラッチ部は引き戸における戸当り部の厚さ内に突出させたものであるから、他方の引き戸がラッチ爪の部分に接近しても、互いに干渉することがなく、ラッチ装置も扁平でコンパクトにすることができる。
【発明を実施するための最良の形態】
【００２０】
次に、本発明を具体化した実施形態について説明する。図１〜図９は第１実施形態を示し、図１は引き戸２、回動扉Ｄ、抽斗Ｅ等を備えたキャビネット１の正面図、図２は左右の引き戸のラッチ装置を示す平断面図、図３はラッチ装置の各部品の拡大斜視図、図４〜図８はラッチ装置の各部品図である。
【００２１】
図１に示すように、書籍棚等の家具本体の一例としてのキャビネット１の正面の間口に沿って左右移動可能に配置された左右一対の引き戸２の金属薄板製の前面板３のうち、戸当り部に近い側に、本発明のラッチ装置４を取り付けする。なお、図１に示すように、車椅子に座った人がキャビネット１の上段の引き戸２を開くことができるように、通常より低い位置（下部レール（図示せず）に近い位置等、引き戸２の高さの低い位置）にラッチ装置４が取り付けられており、下段の引き戸２に対しては通常より高い位置（上部レール（図示せず）に近い位置等）にラッチ装置４が取り付けられている。
【００２２】
ラッチ装置４は、前面開放状の収納部６を有する把手ハウジング５と、操作杆７と、ラッチ体９と、取り付けブラケット１０とからなり、把手ハウジング５及び操作杆７はＡＢＳ樹脂等の合成樹脂製の射出成形品であり、ラッチ体９及び取り付けブラケット１０はポリアセタール樹脂等の耐摩耗性、耐疲労性に優れた合成樹脂製の射出成形品を使用する。
【００２３】
把手ハウジング５及び取り付けブラケット１０は、左引き戸２と右引き戸２とに対して共用できるように、上下対称状に形成されている一方、操作杆７は、左右の引き戸２に対してそれぞれ適用するように左右対称に形成されている。また、左引き戸２と右引き戸２とはキャビネット１の前面の奥行き方向の２列のレール部（図示せず）に対してそれぞれ配置され、キャビネット１の戸当り枠１ａに穿設された係合孔等の係合部１３がキャビネット１の前端面から同じ奥行き位置に設けられているので、ラッチ体９は図２に示すように、左右別体で奥行き寸法が異なるように設定されている。
【００２４】
図２〜図４及び図５に示すように、左引き戸用の把手ハウジング５は、前面板３に穿設された正面視略矩形状の取付け孔１１（図５に示す）に嵌合する正面視ほぼ矩形で左右の側板部５ａと上下の側板部５ｂと奥側の底板部５ｃと、前記４側の側板部５ａ，５ｂの前端側に位置して前面板３の前面に当接する外周縁部１２とが一体的に形成された前面開放のカップ状である。従って、左右の側板部５ａと上下の側板部５ｂと奥側の底板部５ｃと外周縁部１２とで囲まれた部位が収納部６となる。外周縁部１２は引き戸２の前面板３の前面に当接し、この外周縁部１２のうち、引き戸２の進退移動方向に延びる部位の前面１２ａをなだらかな凸湾曲面にて中高状に形成されている（図２，図５参照）。
【００２５】
左引き戸用の把手ハウジング５の右側板部５ａから底板部５ｃの一部にわたって、上下に長い通孔１４が穿設されており（図３，図４（ａ），図４（ｃ）及び図４（ｅ）参照）、また、上下の側板部５ｂの外面には、後に詳述する取り付けブラケット１０が取付くための切込み溝１５ａを一部に有するほぼ矩形状の取り付け凹部１５が凹み形成されている（図３，図４（ａ），図４（ｃ），図４（ｄ）及び図４（ｅ）参照）。なお、左右の側板部５ａのうち少なくとも一方における外面には、外周縁部１２の裏面の近くに、固定用の係合爪１６が複数一体的に突設されており、把手ハウジング５を取り付け孔１１に嵌め入れると、係合爪１６と外周縁部１２の裏面との間で前面板３が挟まれて抜け不能となるように構成されている。
【００２６】
取り付けブラケット１０は把手ハウジング５を前面板３から脱落不能に保持すると共に操作杆７及びラッチ体９を回動可能に支持するための部材である。この取り付けブラケット１０は、図３、図６（ａ）〜図６（ｃ）に示すように、上下長手で偏平板状の本体片２０と、本体片２０の表面から前向きに一体的に突出する上下一対の丸軸状の枢支軸２１と、本体片２０の一側から横向きに一体的に突出する上下一対の係止爪２２と、前記上下の枢支軸２１の間で前向きに一体的に突出する上下長手の当接片２３とからなる。図３、図９（ａ）及び図９（ｄ）に示すように、上下一対の係止爪２２は把手ハウジング５における上下側板部５ｂの外面を挟むように配置されており、各係止爪２２はその先端部分が平面視ほぼ矩形状であって、その広幅面（側板部５ｂの外面と対面する側）には平面視でＬ字状の突起部２２ａが一体的に形成されている。
【００２７】
上下一対の係止爪２２を把手ハウジング５の上下側板部５ｂの外面に向かって押し込むと、各係止爪２２の弾性変形により上下に撓んで後、突起部２２ａが側板部５ｂの外面に形成された取り付け凹部１５に嵌合して離れ不能となるように設定されている。また、取り付けブラケット１０における本体片２０は把手ハウジング５における底板部５ｃの外面に当接するものである。
【００２８】
ラッチ体９は、図３及び図８（ａ）〜図８（ｃ）に示すように、把手ハウジング５の外側にて横方向に延びる基部２４に前記取り付けブラケット１０における枢支軸２１に回動可能に被嵌する丸孔状の軸孔２５が穿設されている。基部２４の中途部は平面視でキャビネット１の奥側に一旦屈曲した後、引き戸２の戸当り側端面の孔３５を介してキャビネット１の戸当り枠１ａにおける孔状の係合部１３に接近するように横向きに延びる。基部２４の先端に前記係合部１３に係脱する下向き鉤状のラッチ爪２６が形成されている。また、前記基部２４から上向きに一体的に延びるように弾性板状の付勢バネ２７が形成されており、この付勢バネ２７の先端側（自由端側）が取り付けブラケット１０における当接片２３に押圧当接するように湾曲形成されているものである。
【００２９】
なお、ラッチ体９における基部２４と付勢バネ２７との付け根付近には、後述する操作杆７における当接傾斜面２９に当接可能な規制傾斜面２８が形成されている。
【００３０】
操作杆７は、図３、図７（ａ）〜図７（ｄ）、図９（ａ）〜図９（ｃ）に示すように、把手ハウジング５における収納部６内に配置され、且つ右側板部５ａから底板部５ｃの一部にわたって形成された通孔１４を介して外に突出する平面視Ｌ字状の基部３０と、この基部３０の前端に一体的に設けた手掛け部３１とからなる。基部３０には前記取り付けブラケット１０における枢支軸２１に回動可能に被嵌する丸孔状の軸孔３２が穿設されている。基部３０の中途部における通孔１４を通る上半部分３０ａに対して、軸孔３２を有する正面視ほぼＬ字状の下半部分３０ｂが前面板３の裏面より遠い側に形成され、上半部分３０ａと下半部分３０ｂとの付け根部分に当接傾斜面２９が形成されている。また、下半部分３０ｂには前記ラッチ体９の基部下面を支持し、当該ラッチ体９をロック解除方向（上向き方向）に押圧するための丸軸状の作動部３３が一体的に形成されている。
【００３１】
操作杆７における手掛け部３１は上下長手状に形成され、且つ把手ハウジング５の収納部６から外周縁部１２よりも引き戸２の前方に突出するように形成されており、前記外周縁部１２のうちの中高の前面１２ａよりもさらに前に突出するように形成されている。しかも、手掛け部３１の前面は、前記引き戸２の進退移動方向の中途部が中高状に形成されているものである。実施形態では、外周縁部１２の中高部から手掛け部３１の中高部までの突出寸法Ｈ１は略７ｍｍ〜１０ｍｍ程度に設定されている（図２参照）。
【００３２】
第１実施形態では、図２、図７(ｃ）に示すように、手掛け部３１の横断面形状はほぼ茸の傘状に形成されている。そして、ロック解除（ラッチ解除）方向に手掛け部３１を回動する場合に人の指が掛かり易いようにするための凹部３４が、手掛け部３１の前面のうち、左側手掛け部３１では左半分の面（右側手掛け部３１では右半分の面）に形成されている。
【００３３】
左側のラッチ装置４を引き戸２に装着するには、前面板２３の取り付け孔１１にその前方から把手ハウジング５の底板部５ｃを挿入する。その場合、通孔１４の有る側板部５ａ側を戸当り側と反対（離れた）側にして嵌め入れる。把手ハウジング５の外周縁部１２の裏面が前面板３に当接する状態まで押し込むと、側面板５ａにおける係合爪１６との間で前面板３が挟まれて抜け不能に固定される。次いで、操作杆７の基部３０を把手ハウジング５の前面開放状の収納部６から通孔１４を介して側面板５ａより外に出し、取り付けブラケット１０の枢支軸２１に操作杆７の軸孔３２を嵌め入れる。
【００３４】
他方、ラッチ体９の基部２４を把手ハウジング５の底板部５ｃの下方にて引き戸２の戸当り側端面の孔３５の方向に延ばし、基部２４の下面側に操作杆７における作動部３３を位置させる一方、ラッチ体９の軸孔２５を前記枢支軸２１に嵌め入れる。また、ラッチ体における付勢バネ２７の自由端を取り付けブラケット１０の当接片２３に当てる。この状態で、取り付けブラケット１０の上下一対の係止爪２２を、把手ハウジング５の上下側板部５ｂの外面の取り付け凹部１５に嵌合させることにより、取り付けブラケット１０における本体片２０は把手ハウジング５における底板部５ｃの外面に当接し、これらでもって、把手ハウジング５は引き戸２の裏面側に強固に固定され、且つラッチ体９及び操作杆７も所定の位置で回動可能に支持されることになる。
【００３５】
前記取り付け状態では、図９（ａ）に示すように、付勢バネ２７の付勢力にてラッチ体９におけるラッチ爪２６側が下向き回動する方向（ロック方向）に付勢される。このとき、ラッチ体９における規制傾斜面２８にて操作杆７における当接傾斜面２９を図９（ａ）で反時計方向に押し、操作杆７は反時計方向に回動するが、操作杆７はその基部３０の上端のストッパー突起３６が右側面板部５ａの外面に当接して、操作杆７における手掛け部３１はほぼ垂直状の姿勢に保持されるのである。また、ラッチ体９の基部２４は操作杆７における丸軸状の作動部３３に支持され、それ以上下向き回動しない。
【００３６】
なお、右側の引き戸２にラッチ装置４を装着する場合、左のものと同じ把手ハウジング５を、上下逆にして取り付けすると、通孔１４の向きが前記左のものと逆になる。取り付けブラケット１０は上下対称形状であるので、これも向きを逆にして取り付けする。従って、把手ハウジング５は取り付けブラケット１０は左右共用にすることができる。操作杆７及びラッチ体９は左用と右用で異なるものを準備する。
【００３７】
ラッチ爪２６がキャビネット本体の戸当り枠１ａの係合部１３に係合した状態から、左側の引き戸２を開くときには、作業者は操作杆７が手掛け部３１の前面の凹部３４に指を掛けるか、もしくは、両手に荷物を持っている場合や、身体障害者のように手を使えない、もしくは指の力が弱い人の場合には、前記把手ハウジング５の外周縁部１２より大きく突出している手掛け部３１の前面を、作業者の前腕部の外面や肘、掌にて図２の矢印Ａ方向に押しずらせる。この手掛け部３１の前面ａが中高状に形成されていることと把手ハウジング５の外周縁部１２より大きく突出していることとが相俟って、手掛け部３１に対する操作力が掛け易くなり、特に、ロック解除（ラッチ解除）の操作が非常にし易くなる。
【００３８】
これにより、操作杆７は枢支軸２１の箇所を中心に図９（ｂ）で時計方向に回動し、図９（ｂ）のように右に傾く。操作杆７における作動部３３にてラッチ体９の基部２４を図９（ｂ）の時計方向に押し上げ、それとほぼ同時に当接傾斜面２９が規制傾斜面２８を下向きに押圧して、前記付勢バネ２７の付勢力に抗して、ラッチ体９はロック解除方向（図９（ｂ）の時計方向）に回動し、ラッチ爪２６が係合部１３から外れるので、そのまま腕の力でラッチ解除操作と引き戸２の開き方向への移動操作とが一挙にできるのである。
【００３９】
把手ハウジング５における４周縁のうち、引き戸２の進退方向に沿う外周縁部１２が中高状に形成されていると、前記ロック解除の作業時に、作業者の前腕部や肘を覆う服の袖が手掛け部３１と外周縁部１２と隙間に嵌まり込み難くなるという効果を奏する。
【００４０】
左側引き戸２を閉じる場合には、図２の矢印Ｂ方向（前進方向）に手掛け部３１に力を作用させる。この状態で、引き戸２がキャビネット本体の戸当り枠１ａに接近すると、ラッチ部１１の先端側が係合部１３の孔の下縁に当たって一旦上向きになるようにラッチ体９が付勢バネ２７に抗して時計方向に回動する（図９（ｃ）参照）。そのとき、作業者の腕、肘もしくは指は手掛け部３１を立てる方向（反時計方向）に押しているから、ラッチ体９と操作杆７とは、分離することになり、当接傾斜面２９と規制傾斜面２８とが離れる。次いで、ラッチ爪２６が係合部１３に嵌まり込むと、ラッチ体９は付勢バネ２７の付勢力にて反時計方向に回動し、図９（ａ）の状態（ロック状態）となり、引き戸２は不用意に開かない。
【００４１】
このように、ラッチ体９と操作杆７とが分離して、互いに独立的に回動し得るから、特に引き戸の閉止方向への移動時に手掛け部３１の姿勢が変動せず、ラッチ体９のみが回動できて操作し易いのである。
【００４２】
図１０（ａ），図１０（ｂ）は手掛け部３１の第２実施形態を示す。この実施形態では手掛け部３１は上下長手形の正面視ほぼ矩形状であるが横断面は楕円形状である。図１０（ｃ），図１０（ｄ）は手掛け部３１の第３実施形態を示し、基部３０は上下長手形の正面視ほぼ矩形状であるが、手掛け部３１はほぼ球形である。いずれの実施形態でも、把手ハウジング５の外周縁部１２のうち、前記引き戸２の進退移動方向の中途部が中高状に形成されているものであり、第１実施形態と同様に、手掛け部３１に対するロック解除方向への力が掛かり易い形状である。
【図面の簡単な説明】
【００４３】
【図１】キャビネットの正面図である。
【図２】図１のII−II線矢視断面図である。
【図３】ラッチ装置の部品の拡大斜視図である。
【図４】（ａ）は把手ハウジングの正面図、（ｂ）は左側面図、（ｃ）は右側面図、（ｄ）は上面図、（ｅ）は図４（ａ）のIVe −IVe 線矢視断面図である。
【図５】図４（ａ）のＶ−Ｖ線矢視拡大断面図である。
【図６】（ａ）は取り付けブラケットの正面図、（ｂ）は左側面図、（ｃ）は図６（ａ）のVIc −VIc 矢視断面図である。
【図７】（ａ）は操作杆の正面図、（ｂ）は左側面図、（ｃ）は図７（ａ）のVIIc−VIIc矢視一部断面図、（ｄ）は図７（ａ）のVIId−VIId矢視断面図である。
【図８】（ａ）はラッチ体の正面図、（ｂ）は左側面図、（ｃ）は上面図である。
【図９】（ａ）はロック状態を示すラッチ装置の正面図、（ｂ）はロック解除状態の正面図、（ｃ）はラッチ体が係合部を乗り越える状態の説明図、（ｄ）は把手ハウジングと取り付けブラケットとの取り付け状態を示す正面図である。
【図１０】（ａ）は手掛け部の第２実施形態の平面図、（ｂ）は正面図、（ｃ）は手掛け部の第３実施形態の平面図、（ｄ）は正面図である。
【符号の説明】
【００４４】
１      キャビネット
２      引き戸
３      前面板
４      ラッチ装置
５      把手ハウジング
６      収納部
７      操作杆
９      ラッチ体
１０      取り付けブラケット
１１      取り付け孔
１２      外周縁部
１３      係合部
１４      通孔
２１      枢支軸
２２      係止爪
２５、３２    軸孔
２６      ラッチ爪
２７      付勢バネ
３１      手掛け部
３３      作動部
３４      凹部
３５      孔
３６      ストッパー突起
【図１】
2005155016.tif 000003
【図２】
2005155016.tif 000004
【図３】
2005155016.tif 000005
【図４】
2005155016.tif 000006
【図５】
2005155016.tif 000007
【図６】
2005155016.tif 000008
【図７】
2005155016.tif 000009
【図８】
2005155016.tif 000010
【図９】
2005155016.tif 000011
【図１０】
2005155016.tif 000012